(57)【要約】  本発明によるコンテンツサーバが動画を再生する方法は、ユーザの入力に応じて、再生対象音楽を選択するステップと、前記選択された再生対象音楽のチャンネル及びセグメントに関する情報を読み取るステップと、前記再生対象音楽のチャンネル及びセグメントに関する情報に基づいて、前記再生対象音楽に各チャンネル別及び各セグメント別のうち少なくとも一つに基づき対応する動画セグメントをマッピングさせるステップと、前記再生対象音楽にマッピングされた動画セグメントを再生するステップとを含むことにより、音楽のセグメント別に動画を再生できるようにする。【選択図】図３
2019506065.tif 000002
【特許請求の範囲】
【請求項１】
コンテンツサーバが動画を再生する方法であって、
ユーザの入力に応じて、再生対象音楽を選択するステップと、
前記選択された再生対象音楽のチャンネル及びセグメントに関する情報を読み取るステップと、
前記再生対象音楽のチャンネル及びセグメントに関する情報に基づいて、前記再生対象音楽に各チャンネル別及び各セグメント別のうち少なくとも一つに基づき対応する動画セグメントをマッピングさせるステップと、
前記再生対象音楽にマッピングされた動画セグメントを再生するステップとを含むことを特徴とする方法。
【請求項２】
前記セグメントは、８小節であることを特徴とする請求項１に記載の方法。
【請求項３】
前記マッピングさせるステップは、
各チャンネル別に、前記コンテンツサーバが保有している前記再生対象音楽の該当チャンネルの動画のうち、ユーザ選好度が最も高い動画の全セグメントをマッピングさせるステップを含むことを特徴とする請求項１に記載の方法。
【請求項４】
前記マッピングさせるステップは、
各セグメント別に、前記コンテンツサーバが保有している前記再生対象音楽の該当セグメントの動画セグメントのうち、ユーザ選好度が最も高い動画セグメント一つをマッピングさせるステップを含むことを特徴とする請求項１に記載の方法。
【請求項５】
前記マッピングさせるステップは、
ユーザの入力に応じて前記再生対象音楽に対して一つのチャンネルを選択するステップと、
前記コンテンツサーバが保有している前記再生対象音楽の該当チャンネルの動画のうち、各セグメント別にユーザ選好度が最も高い動画セグメントをマッピングさせるステップとを含むことを特徴とする請求項１に記載の方法。
【請求項６】
前記マッピングさせるステップは、
各チャンネル別及び各セグメント別に、前記コンテンツサーバが保有している前記再生対象音楽の該当チャンネルの該当セグメントの動画セグメントのうち、ユーザ選好度が最も高い動画セグメントをマッピングさせるステップを含むことを特徴とする請求項１に記載の方法。
【請求項７】
前記マッピングさせるステップは、
ユーザの入力に応じて動画セグメントをマッピングさせるステップを含むことを特徴とする請求項１に記載の方法。
【請求項８】
前記再生対象音楽にマッピングされた動画セグメントのリストを保存するステップと、
前記保存されたリストを他のユーザに提供するステップとを含むことを特徴とする請求項７に記載の方法。
【請求項９】
前記再生対象音楽にマッピングされた動画セグメントのサムネイルを表示するステップを含むことを特徴とする請求項１に記載の方法。
【請求項１０】
前記再生するステップは、
ユーザの入力に応じて前記再生対象音楽にマッピングされた動画セグメントに対し、チャンネル別及びセグメント別のうち少なくとも一つに基づいて、再生要否を活性化あるいは非活性化するステップと、
前記再生対象音楽にマッピングされた動画セグメントのうち、再生要否が活性化されたものだけを再生するステップとを含むことを特徴とする請求項１に記載の方法。
【請求項１１】
前記再生するステップは、
ユーザの入力に応じて動画を記録するチャンネル及びセグメントのうち少なくとも一つを選択するステップと、
前記再生対象音楽にマッピングされた動画セグメントのうち、前記選択されたチャンネル及びセグメントのうちの少なくとも一つを除き、残りのみを再生するステップとを含むことを特徴とする請求項１に記載の方法。
【請求項１２】
前記選択されたセグメントの再生時間中にユーザの動画入力を記録するステップを含むことを特徴とする請求項１１に記載の方法。
【請求項１３】
前記再生対象音楽にマッピングされた動画セグメントのいずれかに対してユーザから全曲聞くという入力がされた場合、該当動画全体を再生することを特徴とする請求項１に記載の方法。
【請求項１４】
前記再生対象音楽にマッピングされた動画セグメントのいずれかに対してユーザから音源購入の入力がされた場合、該当動画の購入画面を表示することを特徴とする請求項１に記載の方法。
【請求項１５】
前記再生対象音楽にマッピングされた動画セグメントのいずれかに対してユーザから推薦／非推薦（ｌｉｋｅ／ｄｉｓｌｉｋｅ）の入力がされた場合、それに応じて該当動画セグメントの推薦数を増加／減少させることを特徴とする請求項１に記載の方法。
【請求項１６】
前記再生対象音楽にマッピングされた動画セグメント全体に対してユーザから推薦／非推薦（ｌｉｋｅ／ｄｉｓｌｉｋｅ）の入力がされた場合、それに応じて前記再生対象音楽にマッピングされた動画セグメントのそれぞれの推薦数を増加／減少させることを特徴とする請求項１に記載の方法。
【請求項１７】
請求項１〜１６のいずれか一項の方法をコンピュータで実行させるために媒体に格納されたコンピュータプログラム。
【請求項１８】
請求項１〜１６のいずれか一項の方法を実行するプログラムが記録されたコンピュータで読み取り可能な記録媒体。
【請求項１９】
請求項１〜１６のいずれか一項の方法を実行するためのコンテンツサーバであって、
複数の音楽のチャンネル及びセグメントに関する情報を格納するデータベースと、
ユーザの入力に応じて再生対象音楽を選択する音楽選択部と、
前記選択された再生対象音楽のチャンネル及びセグメントに関する情報を前記データベースから読み取る情報読出部と、
前記再生対象音楽のチャンネル及びセグメントに関する情報に基づいて、前記再生対象音楽に各チャンネル別及び各セグメント別に該当チャンネル及び該当セグメントに対応する動画セグメントをマッピングさせる動画マッピング部と、
前記再生対象音楽にマッピングされた動画セグメントをセグメント順に再生する動画再生部とを含むことを特徴とするコンテンツサーバ。
【請求項２０】
前記再生対象音楽のセグメントは、少なくとも第１のセグメントと第２のセグメントを含み、
前記マッピングされた動画セグメントは動画再生画面で再生され、
前記マッピングさせるステップは、
第１のセグメントに関する複数のチャンネルのうち少なくとも一つ以上に対応する第１セット動画セグメントを、前記再生対象音楽のうち、前記第１のセグメントに対応する位置に共にマッピングさせ、
第２のセグメントに関する複数のチャンネルのうち少なくとも一つ以上に対応する第２セット動画セグメントを、前記再生対象音楽のうち、前記第２のセグメントに対応する位置に共にマッピングさせるステップを含み、
前記再生するステップは、前記共にマッピングされた第１セット動画セグメントを同時に再生するために動画再生画面を複数個に分割し、分割された再生画面にそれぞれ第１セット動画セグメントを配分して再生し、
前記共にマッピングされた第２セット動画セグメントを同時に再生するために動画再生画面を複数個に分割し、分割された再生画面にそれぞれ第２セット動画セグメントを配分して再生するステップを含むことを特徴とする請求項１に記載の方法。
【請求項２１】
分割された動画再生画面のうち、少なくとも一部において広告を再生することを特徴とする請求項２０に記載の方法。
【請求項２２】
前記チャンネルはＮ個（Ｎは２以上の整数）存在し、前記マッピングされた動画セグメントは動画再生画面で再生され、
前記マッピングさせるステップは、それぞれのセグメントで演奏されている一つ以上のチャンネルに対応する一つ以上の動画セグメントを共にマッピングさせるステップを含み、
前記再生するステップは、前記動画再生画面をＭ個（ＭはＮ以上の整数）に分割するステップと、前記共にマッピングさせた一つ以上の動画セグメントをＭ個に分割された動画再生画面に配分して同時に再生することを特徴とする請求項１に記載の方法。
【請求項２３】
分割された動画再生画面のうち、使用されていない部分において広告を再生することを特徴とする請求項２２に記載の方法。
【請求項２４】
前記Ｎは、２〜１６のいずれかであることを特徴とする請求項２２に記載の方法。
【請求項２５】
前記再生対象音楽には、一つ以上のチャンネルが含まれ、
前記再生するステップは、ユーザの入力に応じて、前記一つ以上のチャンネルの音量が個別に調節可能であることを特徴とする請求項１に記載の方法。
【請求項２６】
前記コンテンツサーバは、動画を保存する動画記録部を更に含み、前記コンテンツサーバは、第１の動画セグメントを生成して転送するユーザ端末と通信し、
前記コンテンツサーバは、前記ユーザ端末が生成して転送した第１の動画セグメントを前記動画記録部に保存し、前記第１の動画セグメントと前記動画記録部に保存されている第２の動画間の関係に関する情報をデータベースに格納することを特徴とする請求項１９に記載のコンテンツサーバ。
【請求項２７】
前記関係に関する情報は、ＸＭＬ文書として保存されていることを特徴とする請求項２６に記載のコンテンツサーバ。
【請求項２８】
複数のノードとノードを連結する線を含む音楽ネットワークを生成する音楽ネットワーク生成部と、生成された音楽ネットワークの少なくとも一部を再生する音楽ネットワーク再生部を更に含み、
前記音楽ネットワークは第１のノードと第２のノードを含み、
第１のノードは第１のユーザが編集した第１の動画を示し、第２のノードは第２のユーザが編集した第２の動画を示し、前記第１の動画には、前記第１のユーザが制作した第１の動画セグメントを少なくとも一部含み、前記第２の動画には、前記第２のユーザが制作した第２の動画セグメントを少なくとも一部含み、
前記第１の動画が、第２の動画が含む第２の動画セグメントを含むこととなる場合、前記第１のノードと前記第２のノードを連結する実線が生成され、前記第１の動画と関連し、第１の動画セグメントと第２の動画セグメントの関係に関する情報がデータベースに保存されることを特徴とする請求項１９に記載のコンテンツサーバ。
【請求項２９】
ユーザが前記第１のノードを選択する場合、
前記第１のノードに対応する前記第１の動画を再生する動作、
前記ユーザからの推薦／非推薦（ｌｉｋｅ／ｄｉｓｌｉｋｅ）の入力がされ、それに応じて第１のノードに対応する第１の動画あるいは第１の動画セグメントの推薦数を増加／減少させる動作、
ユーザが第１のノードに対応する第１の動画あるいは第１の動画セグメントをダウンロードする動作、及び
ユーザが第１のノードに対応する第１の動画を共有できる動作のうち、少なくとも一つの動作を実行することを特徴とする請求項２８に記載のコンテンツサーバ。
【請求項３０】
前記少なくとも一つの動作が行われると、前記第１のノードの形状に関する情報が変更されることを特徴とする請求項２９に記載のコンテンツサーバ。
【請求項３１】
他人が制作した動画セグメントを用いらずに製作された動画のノードは、他人が制作した動画セグメントを用いて編集された動画のノードと異なる属性を有することを特徴とする請求項２８に記載のコンテンツサーバ。
【発明の詳細な説明】
【技術分野】
【０００１】
本発明は、音楽のセグメント別に動画を再生する方法及び装置に関するものである。
【０００２】
ＩＴ技術の発展により、オンライン音源の再生及び流通産業が活性化しているが、最近、音楽を様々な部分に分けて複数の作曲家が協業して作曲する傾向があり、完成曲全体ではなく、その一部分自体も著作権を管理できる音楽であると見なすことができるため、音楽を部分別に創作し、再生する技術が要求される。また、音楽を部分別に管理する場合、演奏者や歌手を視覚化して認識することができるように、音楽を動画で記録をして再生する技術が要求される。
【発明の概要】
【発明が解決しようとする課題】
【０００３】
本発明は、前記のような問題点を解決するためのものであって、音楽のセグメント別に動画を再生して記録する方法及び装置を提供する。
【課題を解決するための手段】
【０００４】
本発明の一実施例によるコンテンツサーバが動画を再生する方法は、ユーザの入力に応じて、再生対象音楽を選択するステップと、前記選択された再生対象音楽のチャンネル及びセグメントに関する情報を読み取るステップと、前記再生対象音楽のチャンネル及びセグメントに関する情報に基づいて、前記再生対象音楽に各チャンネル別及び各セグメント別のうち少なくとも一つに基づき対応する動画セグメントをマッピングさせるステップと、前記再生対象音楽にマッピングされた動画セグメントを再生するステップとを含むことを特徴とする。
【０００５】
好ましくは、前記セグメントは８小節であることを特徴とする。
【０００６】
好ましくは、前記マッピングさせるステップは、各チャンネル別に、前記コンテンツサーバが保有している前記再生対象音楽の該当チャンネルの動画のうち、ユーザ選好度が最も高い動画の全セグメントをマッピングさせるステップを含むことを特徴とする。
【０００７】
好ましくは、前記マッピングさせるステップは、各セグメント別に、前記コンテンツサーバが保有している前記再生対象音楽の該当セグメントの動画セグメントのうち、ユーザ選好度が最も高い動画セグメント一つをマッピングさせるステップを含むことを特徴とする。
【０００８】
好ましくは、前記マッピングさせるステップは、ユーザの入力に応じて前記再生対象音楽に対して一つのチャンネルを選択するステップと、前記コンテンツサーバが保有している前記再生対象音楽の該当チャンネルの動画のうち、各セグメント別にユーザ選好度が最も高い動画セグメントをマッピングさせるステップとを含むことを特徴とする。
【０００９】
好ましくは、前記マッピングさせるステップは、各チャンネル別及び各セグメント別に、前記コンテンツサーバが保有している前記再生対象音楽の該当チャンネルの該当セグメントの動画セグメントのうち、ユーザ選好度が最も高い動画セグメントをマッピングさせるステップを含むことを特徴とする。
【００１０】
好ましくは、前記マッピングさせるステップは、ユーザの入力に応じて動画セグメントをマッピングさせるステップを含むことを特徴とする。
【００１１】
好ましくは、前記再生対象音楽にマッピングされた動画セグメントのリストを保存するステップと、
【００１２】
前記保存されたリストを他のユーザに提供するステップとを含むことを特徴とする。
【００１３】
好ましくは、前記再生対象音楽にマッピングされた動画セグメントのサムネイルを表示するステップを含むことを特徴とする。
【００１４】
好ましくは、前記再生するステップは、ユーザの入力に応じて前記再生対象音楽にマッピングされた動画セグメントに対し、チャンネル別及びセグメント別のうち少なくとも一つに基づいて、再生要否を活性化あるいは非活性化するステップと、前記再生対象音楽にマッピングされた動画セグメントのうち、再生要否が活性化されたものだけを再生するステップとを含むことを特徴とする。
【００１５】
好ましくは、前記再生するステップは、ユーザの入力に応じて動画を記録するチャンネル及びセグメントのうち少なくとも一つを選択するステップと、前記再生対象音楽にマッピングされた動画セグメントのうち、前記選択されたチャンネル及びセグメントのうち少なくとも一つを除き、残りのみを再生するステップとを含むことを特徴とする。
【００１６】
好ましくは、前記選択されたセグメントの再生時間中にユーザの動画入力を記録するステップを含むことを特徴とする。
【００１７】
好ましくは、前記再生対象音楽にマッピングされた動画セグメントのいずれかに対してユーザから全曲聞くという入力がされた場合、該当動画全体を再生することを特徴とする。
【００１８】
好ましくは、前記再生対象音楽にマッピングされた動画セグメントのいずれかに対してユーザから音源購入の入力がされた場合、該当動画の購入画面を表示することを特徴とする。
【００１９】
好ましくは、前記再生対象音楽にマッピングされた動画セグメントのいずれかに対してユーザから推薦／非推薦（ｌｉｋｅ／ｄｉｓｌｉｋｅ）の入力がされた場合、それに応じて該当動画セグメントの推薦数を増加／減少させることを特徴とする。
【００２０】
好ましくは、前記再生対象音楽にマッピングされた動画セグメント全体に対してユーザから推薦／非推薦（ｌｉｋｅ／ｄｉｓｌｉｋｅ）の入力がされた場合、それに応じて前記再生対象音楽にマッピングされた動画セグメントのそれぞれの推薦数を増加／減少させることを特徴とする。
【００２１】
本発明の一実施例によるコンテンツサーバは、複数の音楽のチャンネル及びセグメントに関する情報を格納するデータベースと、ユーザの入力に応じて再生対象音楽を選択する音楽選択部と、前記選択された再生対象音楽のチャンネル及びセグメントに関する情報を前記データベースから読み取る情報読出部と、前記再生対象音楽のチャンネル及びセグメントに関する情報に基づいて、前記再生対象音楽に各チャンネル別及び各セグメント別に該当チャンネル及び該当セグメントに対応する動画セグメントをマッピングさせる動画マッピング部と、前記再生対象音楽にマッピングされた動画セグメントをセグメント順に再生する動画再生部とを含むことを特徴とする。
【００２２】
本発明は、本発明の一実施例による方法をコンピュータで実行させるために媒体に格納されたプログラムを含む。
【００２３】
本発明は、本発明の一実施例による方法をコンピュータで実行させるためのプログラムを記録したコンピュータで読み取り可能な記録媒体を含む。
【００２４】
本発明の一実施例によるコンテンツサーバが動画を再生する方法は、ユーザの入力に応じて再生対象音楽を選択するステップと、前記選択された再生対象音楽のチャンネル及びセグメントに関する情報を読み取るステップと、前記再生対象音楽のチャンネル及びセグメントに関する情報に基づいて、前記再生対象音楽に各チャンネル別及び各セグメント別のうち少なくとも一つに基づき対応する動画セグメントをマッピングさせるステップと、前記再生対象音楽にマッピングされた動画セグメントを再生するステップとを含み、前記再生対象音楽のセグメントは少なくとも第１のセグメントと第２のセグメントを含み、前記マッピングされた動画セグメントは動画再生画面で再生され、前記マッピングさせるステップは、第１のセグメントに関する複数のチャンネルのうち少なくとも一つ以上に対応する第１セット動画セグメントを、前記再生対象音楽のうち、前記第１のセグメントに対応する位置に共にマッピングさせ、第２のセグメントに関する複数のチャンネルのうち少なくとも一つ以上に対応する第２セット動画セグメントを、前記再生対象音楽のうち、前記第２のセグメントに対応する位置に共にマッピングさせるステップを含み、前記再生するステップは、前記共にマッピングされた第１セット動画セグメントを同時に再生するために動画再生画面を複数個に分割し、分割された再生画面にそれぞれ第１セット動画セグメントを配分して再生し、前記共にマッピングされた第２セット動画セグメントを同時に再生するために動画再生画面を複数個に分割し、分割された再生画面にそれぞれ第２セット動画セグメントを配分して再生するステップを含むことを特徴とする。
【００２５】
好ましくは、分割された動画再生画面のうち、少なくとも一部において広告を再生することを特徴とする。
【００２６】
好ましくは、前記チャンネルはＮ個（Ｎは２以上の整数）存在し、前記マッピングされた動画セグメントは動画再生画面で再生され、前記マッピングさせるステップは、それぞれのセグメントで演奏されている一つ以上のチャンネルに対応する一つ以上の動画セグメントを共にマッピングさせるステップを含み、前記再生するステップは、前記動画再生画面をＭ個（ＭはＮ以上の整数）に分割するステップと、前記共にマッピングさせた一つ以上の動画セグメントをＭ個に分割された動画再生画面に配分して同時に再生することを特徴とする。
【００２７】
好ましくは、分割された動画再生画面のうち、使用されていない部分において広告を再生することを特徴とする。
【００２８】
好ましくは、前記Ｎは２〜１６のいずれかであることを特徴とする。
【００２９】
好ましくは、前記再生対象音楽には一つ以上のチャンネルが含まれ、前記再生するステップは、ユーザの入力に応じて、前記一つ以上のチャンネルの音量が個別に調節可能であることを特徴とする。
【００３０】
本発明の一実施例によるコンテンツサーバは、複数の音楽のチャンネル及びセグメントに関する情報を格納するデータベースと、ユーザの入力に応じて再生対象音楽を選択する音楽選択部と、前記選択された再生対象音楽のチャンネル及びセグメントに関する情報を前記データベースから読み取る情報読出部と、前記再生対象音楽のチャンネル及びセグメントに関する情報に基づいて、前記再生対象音楽に各チャンネル別及び各セグメント別に該当チャンネル及び該当セグメントに対応する動画セグメントをマッピングさせる動画マッピング部と、前記再生対象音楽にマッピングされた動画セグメントをセグメント順に再生する動画再生部とを含み、前記コンテンツサーバは、動画を保存する動画記録部を更に含み、前記コンテンツサーバは、第１の動画セグメントを生成して転送するユーザ端末と通信し、前記コンテンツサーバは、前記ユーザ端末が生成して転送した第１の動画セグメントを前記動画記録部に保存し、前記第１の動画セグメントと前記動画記録部に保存されている第２の動画間の関係に関する情報をデータベースに格納することを特徴とする。
【００３１】
好ましくは、前記関係に関する情報は、ＸＭＬ文書として保存されていることを特徴とする。
【００３２】
好ましくは、複数のノードとノードを連結する線を含む音楽ネットワークを生成する音楽ネットワーク生成部と、生成された音楽ネットワークの少なくとも一部を再生する音楽ネットワーク再生部を更に含み、前記音楽ネットワークは第１のノードと第２のノードを含み、第１のノードは第１のユーザが編集した第１の動画を示し、第２のノードは第２のユーザが編集した第２の動画を示し、前記第１の動画には、前記第１のユーザが制作した第１の動画セグメントを少なくとも一部含み、前記第２の動画には、前記第２のユーザが制作した第２の動画セグメントを少なくとも一部含み、前記第１の動画が、第２の動画が含む第２の動画セグメントを含むこととなる場合、前記第１のノードと前記第２のノードを連結する実線が生成され、前記第１の動画と関連し、第１の動画セグメントと第２の動画セグメントの関係に関する情報がデータベースに保存されることを特徴とする。
【００３３】
好ましくは、ユーザが前記第１のノードを選択する場合、前記第１のノードに対応する前記第１の動画を再生する動作、前記ユーザからの推薦／非推薦（ｌｉｋｅ／ｄｉｓｌｉｋｅ）の入力がされ、それに応じて第１のノードに対応する第１の動画あるいは第１の動画セグメントの推薦数を増加／減少させる動作、ユーザが第１のノードに対応する第１の動画あるいは第１の動画セグメントをダウンロードする動作、及びユーザが第１のノードに対応する第１の動画を共有できる動作のうち、少なくとも一つの動作を実行することを特徴とする。
【００３４】
好ましくは、前記少なくとも一つの動作が行われると、前記第１のノードの形状に関する情報が変更されることを特徴とする。
【００３５】
好ましくは、他人が制作した動画セグメントを用いらずに製作された動画のノードは、他人が制作した動画セグメントを用いて編集された動画のノードと異なる属性を有することを特徴とする。
【図面の簡単な説明】
【００３６】
【図１】本発明の一実施例によるコンテンツサーバの構成を概略的に示す図である。
【図２】音楽を８小節ずつに分けた例である。
【図３】本発明の一実施例による動画再生方法の流れを概略的に示すフローチャートである。
【図４】本発明の一実施例により、各チャンネル情報と動画セグメントのサムネイルが画面に表示された例である。
【図５】本発明の一実施例により、分割された画面においてチャンネル別動画を再生する例である。
【図６】本発明の一実施例により、分割された画面においてチャンネル別動画を再生する例である。
【図７】本発明の一実施例によるデータベースの構成を概略的に示す図である。
【図８】本発明の一実施例による初期画面表示過程の流れを概略的に示す図である。
【図９】本発明の一実施例による動画再生過程の流れを概略的に示す図である。
【図１０】本発明の一実施例に係る音楽ネットワークの一例である。
【図１１】本発明の一実施例による音楽ネットワークを生成するステップのフローチャートである。
【図１２】本発明の一実施例による、音楽ネットワークにおいてノードを選択する際に可能な動作が実行されるフローチャートを示す。
【発明を実施するための形態】
【００３７】
以下において、本発明の技術的思想を明確化するために、添付された図面を参照して本発明の好ましい実施例を詳しく説明する。本発明を説明するにあたって、関連する公知の機能や構成要素に対する具体的な説明が本発明の要旨を不必要に曖昧にすると判断される場合、その詳しい説明を省略する。図面の中で実質的に同一の機能構成を有する構成要素については、たとえ他の図面上に表示されていたとしても、可能な限り同一の参照番号及び符号を付与する。説明の便宜のために、必要な場合には装置と方法を共に記述するようにする。
【００３８】
図１は、本発明の一実施例によるコンテンツサーバの構成を概略的に示す図である。図１を参照すると、本発明の一実施例によるコンテンツサーバ１００は、音楽選択部１１０、情報読出部１２０、動画マッピング部１３０、動画再生部１４０、データベース１５０、動画記録部１６０、音楽ネットワーク生成部１７０、及び音楽ネットワーク再生部１８０を含む。コンテンツサーバ１００は、ユーザ端末２００とネットワークを介して通信可能である。ユーザ端末２００は、これに制限されるものではないが、一般的なデスクトップやノートパソコン等の一般的なＰＣ等、スマートフォン、タブレットＰＣ、ＰＤＡ（Ｐｅｒｓｏｎａｌ  Ｄｉｇｉｔａｌ  Ａｓｓｉｓｔａｎｔｓ）、及び移動通信端末機等のモバイル端末等、及びコンテンツサーバ１００と通信可能ないかなる電子機器を全て含む。ユーザ端末２００は、コンテンツサーバから提供される動画や、後述する音楽ネットワークを、ネットワークを介した転送により受け取り、再生することができる。また、ユーザ端末２００は、動画を生成／編集してコンテンツサーバ１００に送信することができる。本発明によるコンテンツサーバ１００は、マルチチャンネルの音楽動画を再生サーバとして、多様な音楽に対するチャンネル別動画及びメタデータをデータベース１５０に保存して保有している。音楽のメタデータは、各音楽のチャンネル及びセグメントに関する情報を含む。本発明においてチャンネルとは、完成曲をなす各楽器や音声のトラック、例えばボイス、ピアノ、キーボード、ギター、ベース、ドラム、ストリングス、コーラスなどをいう。一実施例によると、一つのチャンネルに二つ以上の楽器や音声のトラックが含まれることがある。したがって一つのチャンネル別動画において、例えば、ピアノとドラムが同時に演奏され得る。本発明において、セグメントとは音楽を一定の長さで分けたものをいう。一般的に、音楽はイントロ（ｉｎｔｒｏ）、ヴァース（ｖｅｒｓｅ）、ブリッジ（ｂｒｉｄｇｅ）、リフレイン部、アドリブ等に分けることができ、各セグメントは８〜１６小節で構成されており、全体の音楽のランニングタイムは３〜４分程度となる。好ましくは、本発明において８小節を一つのセグメントとする。図２に音楽を８小節ずつに分けた例が示されている。本発明において音楽のチャンネル別動画は、演奏者が特定の楽器で該当音楽を演奏する動画（音声チャンネルの場合、歌手が歌を歌う動画であるが、説明の便宜上、以下、音声も一つの楽器と見なし「演奏」するものとして通称することとする）であり、このような音楽動画も音楽のセグメントによって分けることができる。分けられた動画を動画セグメントと呼ぶこととする。動画は音楽全体を演奏したものでもあり、音楽の一部のセグメントのみを演奏したものでもある。
【００３９】
図３は、本発明の一実施例による動画再生方法の流れを概略的に示すフローチャートである。図３を参照すると、コンテンツサーバ１００の音楽選択部１１０は、ユーザの入力に応じて再生対象音楽を選択する（２１０）。情報読出部１２０は、選択された再生対象音楽のチャンネル及びセグメントに関する情報をデータベース１５０から読み取る（２２０）。動画マッピング部１３０は、読み取った再生対象音楽のチャンネル及びセグメントに関する情報に基づいて、再生対象音楽に各チャンネル別及び各セグメント別のうち、少なくとも一つに基づき該当チャンネル及び該当セグメントに対応する動画セグメントをマッピングさせる（２３０）。動画再生部１４０は、再生対象音楽にマッピングされた動画セグメントをセグメント順に再生する（２４０）。すなわち、本発明の一実施例によるコンテンツサーバ１００は、ユーザが選択した音楽に対して、各チャンネル別、セグメント別に互いに異なる多様な音楽動画をマッピングして再生することができる。
【００４０】
異なる実施形態では、動画はセグメント順ではなく、ユーザが指定した順序で再生され得る。例えば、ユーザはイントロを削除、また、ヴァースの順序を変更することができ、この場合、動画はユーザが指定した順序で再生され得る。音楽に動画をマッピングする方法には多様な実施例があり得る。
【００４１】
第１の実施例では、動画マッピング部１３０は、ユーザが選択した再生対象音楽に対して、各チャンネル別に、コンテンツサーバが保有している再生対象音楽の該当チャンネルの動画のうち、ユーザ選好度が最も高い動画の全セグメントをマッピングさせることができる。例えばピアノチャンネルに対しては、再生対象音楽を演奏したピアノ動画のうち、最も選好度が高い動画をマッピングさせ、ボイスチャンネルに対しては、再生対象音楽の歌を歌った動画のうち、最も選好度が高い動画をマッピングさせることができる。ここで選好度とは、各動画や各動画のセグメントに対してコンテンツサーバ１００のユーザの好き嫌いを反映した指標であって、例えば、ユーザが動画を鑑賞しながら推薦／非推薦（ｌｉｋｅ／ｄｉｓｌｉｋｅ）をクリックした情報に基づいて生成され得る。本第１の実施例では、再生対象音楽に対して、各楽器別にユーザが最も好む動画がマッピングされるようになる。
【００４２】
コンテンツサーバ１００は、動画マッピング後に、マッピングされた動画セグメントのサムネイルを画面に表示することができ、動画再生部１４０は、動画再生時にチャンネル別にマッピングされたすべての動画を同時に再生し、また、ユーザの選択に応じて特定のチャンネルの動画のみを再生することができる。以下、他の実施例でも同様である。
【００４３】
第２の実施例では、動画マッピング部１３０は、ユーザが選択した再生対象音楽に対して、各セグメント別に、前記コンテンツサーバが保有している再生対象音楽の該当セグメントの動画セグメントのうち、ユーザ選好度が最も高い動画セグメント一つずつをマッピングさせることができる。つまり、セグメント１に対してはセグメント１を演奏した全ての楽器の動画セグメントのうち、最も選好度が高い動画セグメントを、セグメント２に対してはセグメント２を演奏した全ての楽器の動画セグメントのうち、最も選好度が高い動画セグメントをマッピングさせる方式である。この場合、各セグメントごとに最も選好される演奏に対する動画がマッピングされるため、動画再生部１４０の動画再生時、一度に一つのチャンネルのみが再生されるようになり、各セグメントごとに互いに異なる楽器が再生され得る。本実施例では、各チャンネル情報と動画セグメントのサムネイルが画面に表示された例が図４に示されている。
【００４４】
第３の実施例では、動画マッピング部１３０は、ユーザの入力に応じて再生対象音楽のチャンネルのいずれかのチャンネルを選択して、コンテンツサーバが保有している再生対象音楽の該当チャンネルの動画のうち、各セグメント別にユーザ選好度が最も高い動画セグメントをマッピングさせることができる。例えば、ユーザがピアノチャンネルを選択した場合、再生対象音楽のピアノ演奏動画のうち、各セグメント別に最も選好度が高いセグメントがマッピングされることになる。
【００４５】
実施例によると、第２の実施例に基づいてセグメント別に互いに異なる楽器が演奏されている時、ユーザがそれらのいずれかの動画セグメント（例えば現在再生されている動画セグメント）に対して「シングルチャンネル再生」を選択すると、第３の実施例のように、該当チャンネルに対して最も選好される動画セグメントをマッピングして再生することができる。この時、残りのチャンネルは動画を再生しない。
【００４６】
第４の実施例では、動画マッピング部１３０は、ユーザが選択した再生対象音楽に対して、各チャンネル別及び各セグメント別に、前記コンテンツサーバが保有している前記再生対象音楽の該当チャンネルの該当セグメントの動画セグメントのうち、ユーザ選好度が最も高い動画セグメントをマッピングさせることができる。この場合は、全てのチャンネルが同時に再生されながら、各セグメント毎に、チャンネル別に最も選好度が高い動画が再生されるようになる。サムネイルは、チャンネル数とセグメント数の積の数だけ可能であり、同時に複数の動画が再生され、また、ユーザが選択した動画のみ再生され得る。
【００４７】
第５の実施例では、動画マッピング部１３０は、ユーザが選択した再生対象音楽に対して、各チャンネル別及び各セグメント別のうち少なくとも一つの基準に基づいて、ユーザの入力に応じて動画セグメントをマッピングさせることができる。また、第１〜第４の実施例により選好度が高い動画セグメントが自動的にマッピングされた後、ユーザの入力に応じて一部の動画セグメントを変更してマッピングさせることもできる。コンテンツサーバ１００は、ユーザの入力に応じてマッピングされた動画セグメントのリストを保存した後、保存されたリストを他のユーザに提供することができる。したがって、コンテンツサーバ１００のユーザは、自分が作った動画再生情報を他の人に配布することができるようになる。
【００４８】
第６の実施例では、動画マッピング部１３０は、再生対象音楽の一つのセグメントに複数チャンネルの動画セグメントを共にマッピングすることができる。その後、動画再生部１４０は、一つのセグメントに共にマッピングされた複数チャンネルの動画セグメントを同時に再生するために、動画再生画面を複数個に分割し、分割された再生画面に複数のチャンネル別動画セグメントを分割して再生することができる。一実施例では、動画マッピング部１３０は、再生対象音楽の一つのセグメントに一つのチャンネルの複数の動画セグメントを共にマッピングすることができる。例えば、ユーザＡが制作したピアノチャンネル動画、ユーザＢが制作したピアノチャンネル動画、及びユーザＣが制作したピアノチャンネル動画が最初のセグメントに共にマッピングされ得る。その後、動画再生部１４０は、一つのセグメントに共にマッピングされた一つのチャンネルの複数の動画セグメントを同時に再生するために、動画再生画面を複数個に分割し、分割された再生画面に複数のチャンネル別動画セグメントを分割して再生することができる。一実施例では、分割された画面のうち少なくとも一つにおいて、広告のようにチャンネルの動画とは無関係の映像が再生され得る。
【００４９】
一実施例では、再生対象音楽のセグメントに基づいて動画再生画面が固定された数により分割され得る。画面が存在するチャンネルの数と同じ数、または存在するチャンネルの数よりも、多く、または少ない数で分割され得る。画面が４つまたは９つに分割され得るが、これに限定されるものではない。これと関連した一実施例を示す図５を参照すると、例えば、計４つのチャンネルが存在し、画面は４つに分割されている。再生対象音楽の最初のセグメントには、４つのチャンネルのうち、３つのチャンネル別動画セグメントが存在し、これらが分割された画面のうち、図面の１、２、３に表示された画面にそれぞれ表示され、４に表示された画面では広告が再生される。二つ目のセグメントには、４つのチャンネル全てのチャンネル別動画セグメントが存在し、分割された画面全てにこれらが再生される。三つ目のセグメントには、４つのチャンネル全てのチャンネル別動画セグメントが存在するが、これらのうち１、３、４に表示された画面において、チャンネル別動画セグメントが再生され、２に表示された画面では広告が再生される。例示的に、分割された画面のうち少なくとも一つの画面で何の画像も再生されないことがある。
【００５０】
異なる実施例では、再生対象音楽のセグメント別に、動画再生画面が異なる数で分割され得る。これと関連した一実施例を示す図６を参照すると、例えば、再生対象音楽の最初のセグメントにおいて４つのチャンネル別動画セグメントが存在し、二つ目のセグメントにおいて９つのチャンネル別動画セグメントが存在する場合、最初のセグメントでは画面が４つに分割され、４つのチャンネル別動画セグメントをそれぞれの分割された画面で再生し、二つ目のセグメントでは画面が９つに分割され、９つのチャンネル別動画セグメントをそれぞれの分割された画面で再生することができる。これと関連した異なる一実施例では、再生対象音楽の最初のセグメントにおいて９つのチャンネル別動画セグメントが存在し、二つ目のセグメントにおいて３つのチャンネル別動画セグメントが存在する場合、最初のセグメントでは画面が９つに分割され、９つのチャンネル別動画セグメントをそれぞれの分割された画面で再生し、二つ目のセグメントでは画面が４つに分割され、このうちの３つの画面で３つのチャンネル別動画セグメントがそれぞれの分割された画面で再生され、残りの一つの画面で広告が再生され得る。一実施例では、一部セグメントでは画面が分割され、一部セグメントでは画面が分割されないことがある。
【００５１】
動画再生部１４０は、ユーザの入力に応じて、再生対象音楽にマッピングされた動画セグメントに対し、チャンネル別及び／またはセグメント別に再生要否を活性化または非活性化し、再生要否が活性化された動画セグメントのみを再生することができる。したがってユーザは、音楽の特定の部分だけを、特定の楽器の演奏なしに再生することができるようになる。本明細書において、動画再生部１４０が動画や音楽を再生する動作は、ユーザ端末２００が動画や音楽を表示または出力するように、動画再生部１４０がユーザ端末２００に動画や音楽を送信する動作を含む。一実施例では、各チャンネルの音量を個別に調節可能である。例えば、フルートとピアノのチャンネルの動画からなる音楽では、フルートチャンネルの音量を大きく調節して、ピアノチャンネルの音量を小さく調節することができる。
【００５２】
コンテンツサーバ１００は、動画記録部１６０を含み、ユーザからの動画入力により記録することにより、新たな動画を追加することができる。ユーザは、再生される音楽を聞きながら特定の楽器（例えばギター）を演奏して動画を記録するために、該当楽器のみ再生されないようにし、また、特定のセグメント（例えば、リフレイン部）に対する動画を記録するために、該当セグメントのみ再生されないようにすることができる。例えば、動画再生部１４０は、ユーザの入力に応じて動画を記録するチャンネルを選択した後、再生対象音楽にマッピングされた動画セグメントのうち、選択されたチャンネルを除いて、残りのみを再生することができ、ユーザの入力に応じて動画を記録するチャンネル及びセグメントを選択した後、再生対象音楽にマッピングされた動画セグメントのうち、選択されたチャンネルの選択されたセグメントを除いて、残りのみを再生することができる。このとき、動画記録部１６０は、選択されたセグメントが再生される間に、ユーザの動画入力を記録することができる。動画記録部１６０は、その一部または全部が、コンテンツサーバ１００の外部にあり得る。
【００５３】
以下、コンテンツサーバ１００がユーザの動画を記録する方式についてより具体的に説明する。コンテンツサーバ１００は、動画を制作するユーザのユーザ端末２００と通信して、複数の音楽のチャンネル及びセグメントに関する情報と動画セグメントのうち少なくとも一つを受信することができる。コンテンツサーバ１００が動画記録部１６０に保存されていない動画をユーザ端末２００から受信する場合、受信した動画を動画記録部１６０に保存することができる。ユーザが、例えば動画一編全体のうち、一部の動画セグメントのみを生成し、残りの部分は動画記録部１６０に保存されている動画セグメントを用いる場合、ユーザ端末２００は、新たに生成した動画セグメントのみを転送し、コンテンツサーバ１００は、新たに生成された動画セグメントのみを保存することができる。この時コンテンツサーバ１００は、ユーザが新たに生成した動画セグメントの保存位置情報、及びユーザが使用した既保存動画の保存位置情報を用いて、これら動画間の関係、例えば、音楽セグメントと動画セグメントのマッピング関係、動画セグメントの再生順序等をデータベースに保存することができる。このような動画上の関係情報を保存及び伝達するにあたり、動画セグメントの保存位置情報と、これら関係を保存するための技術、例えば、ＸＭＬ（Ｅｘｔｅｎｓｉｂｌｅ  Ｍａｒｋｕｐ  Ｌａｎｇｕａｇｅ）のような技術を用いることができる。その後、ユーザが再生成された動画を含む音楽を受信して再生しようとする場合には、コンテンツサーバ１００は、保存された関係情報、例えば、ＸＭＬ文書をユーザ端末２００に送信し、ユーザ端末２００は、ＸＭＬ文書内の情報を用いて、音楽セグメント別にマッピングされた動画をＸＭＬ文書に記録された保存場所から受信して動画を表示または出力することができる。これによりコンテンツサーバ１００は、動画の重複保存を防止し、効率的に情報を端末に転送することができるようになる。
【００５４】
例示的な一実施例では、ユーザがＡという音楽のチャンネル別動画を制作するにあたり、コンテンツサーバ１００に保存されていたフルートとピアノチャンネルの動画を用いて、ユーザは音楽Ａのリフレイン部のバイオリンチャンネルの動画を製作する場合、ユーザ端末２００は、リフレイン部のバイオリンチャンネル動画のみを送信する。その後、ユーザ端末２００でフルート、ピアノ、バイオリンチャンネルの動画を含む音楽を再生しようとする場合、コンテンツサーバ１００は、全体動画ではなく、ＸＭＬを転送し、ユーザ端末は、ＸＭＬ文書の情報に基づいてフルート、ピアノ、バイオリンチャンネルの動画を音楽セグメント別に出力することができる。
【００５５】
例示的な実施例では、フルートとピアノチャンネルの動画が、コンテンツサーバ１００ではない外部サーバ（図示せず）に保存されている場合、ＸＭＬ文書には、フルートとピアノチャンネル動画の、該当外部サーバ内の位置情報が含まれ得る。
【００５６】
図４に示すように、コンテンツサーバ１００は、再生対象音楽にマッピングされた各動画セグメントに対して「全曲聞く」、「音源購入」、「推薦（ｌｉｋｅ）」、「非推薦（ｄｉｓｌｉｋｅ）」等のボタンを表示することができる。ユーザが再生対象音楽にマッピングされた動画セグメントのいずれかに対して「全曲聞く」ボタンをクリックすると、コンテンツサーバ１００は該当動画全体を再生することができる。ユーザが「音源購入」ボタンをクリックすると、コンテンツサーバ１００は、該当動画の全体または一部（例えば、セグメント）に対する購入画面を表示することができる。ユーザが「推薦」あるいは「非推薦」ボタンをクリックすると、コンテンツサーバ１００は、それに応じて該当動画セグメントの推薦数を増加または減少させることができる。コンテンツサーバ１００は、現在マッピングされた動画セグメント全体に対する推薦／非推薦ボタン（図示せず）を表示することができ、ユーザがこれをクリックすると、それに応じて現在マッピングされた動画セグメント全ての推薦数を増加／減少させることができる。同様に、現在マッピングされた動画セグメント全体に対する音源の購入等の処理をすることもできる。
【００５７】
図７は、本発明の一実施例によるデータベースの構成を概略的に示す図であり、各セグメントと動画間のマッピング、及び各動画と関連して保存されるセグメント情報、楽器情報及び選好度情報を示す。図８は、本発明の一実施例による初期画面表示過程の流れを概略的に示した図であって、第２の実施例に基づいて、再生対象音楽に各セグメント別にユーザ選好度が最も高い動画セグメントをマッピングし、マッピング結果を図４のように表示する過程を示す。図８を参照すると、再生対象音楽の各セグメントを示すセグメントインデックスを０から１ずつ増加させながら、各セグメント別に選好度が一位である動画セグメントをマッピングし、マッピングされた動画セグメントの静止画像と楽器チャンネル情報を画面に表示する。図９は、本発明の一実施例による動画再生過程の流れを概略的に示す図である。図９を参照すると、タイマーによる再生時間に応じて、セグメントインデックスを０から１ずつ増加させながら、各セグメントの動画セグメント及びチャンネル情報を順次出力し、キー（ｋｅｙ）イベント、例えば、「全曲聞く」、「音源購入」、「選好度入力（推薦）」、「シングル楽器（チャンネル）再生」等のイベントが発生すると、該当処理を実行する。
【００５８】
図１０は、ユーザが生成した動画の共有状況を示す音楽ネットワークの一実施例である。音楽ネットワークは、複数のノードと、両端がノードに連結された実線を含むが、ノードは、ユーザが編集した動画を、実線は、ユーザが動画を編集するために他のノードから動画をダウンロードしたことを意味する。図１０を参照すると、ノードＡは、ユーザ１が編集した動画Ａを示し、ノードＢは、ユーザ２が編集した動画Ｂを示す。ＡとＢを連結する実線は、例えば、動画ＡにノードＢの動画セグメントが用いられたことを示す。ノードＡに関連する動画Ａは、少なくともユーザ１が製作した動画セグメントＡとユーザ２が制作した動画セグメントＢを含む。動画セグメントＡとＢは、コンテンツサーバ１００の動画記録部１６０に保存されており、動画Ａが動画セグメントＡとＢを含んでなるという情報は、コンテンツサーバ１００のデータベース１５０に、例えばＸＭＬ文書として保存されている。コンテンツサーバ１００の音楽ネットワーク生成部１７０は、ノードと実線を生成し、音楽ネットワーク再生部１８０は、生成された音楽ネットワークの少なくとも一部の情報をコンテンツサーバ１００と通信可能なユーザ端末（図示せず）に伝達して表示するようにできる。
【００５９】
一実施例では、ユーザがノードを選択する場合、該当ノードに対応する動画を全体または部分再生する動作、ユーザからの推薦／非推薦（ｌｉｋｅ／ｄｉｓｌｉｋｅ）の入力により、それに応じてそのノードに対応する動画や動画セグメントの推薦数を増加／減少させる動作、ユーザがそのノードに対応する動画や動画セグメントをダウンロードする動作、及びユーザが第１のノードに対応する動画を自身のＳＮＳ（Ｓｏｃｉａｌ  Ｎｅｔｗｏｒｋｉｎｇ  Ｓｅｒｖｉｃｅ）アカウントや、メッセージ、メール等で共有する動作等を行うことができる。一実施例によると、前記再生動作、推薦数を増加／減少させる動作、ダウンロードする動作及び／または共有する動作の実行回数が増加するにつれて、該当ノードの形状が変更され得る。例えば、ノードは円形であり、前記動作の数が増加するにつれて、円のサイズが大きくなることがある。一実施例によると、他人の、あるいは他のノード上の動画を用いらずに動画を製作した場合には、該当ノードは、一般ノードとは区別される属性、例えば、形状や色を有することができる。例えばこのようなノードは、ハートや王冠模様を有することができる。このようなノードの形状変更は、ノードと関連した形状情報、例えば、ノードの属性を表す複数のデータフィールドのいずれかを変更することにより行うことができる。このような視覚化されたインタフェースを提供することにより、ユーザはどのような動画が活発に使用されているか、どのような音楽がオリジナル創作物であるかどうかを容易に把握することができる。一実施例では、ノードを選択すると該当ノードの動画制作者の情報が出力される。一実施例では、ノードを選択すると、該当ノードの動画再生数、推薦／非推薦数、ダウンロード数、共有された回数等が出力される。
【００６０】
図１１は、音楽ネットワークを生成するステップのフローチャートである。第１のユーザが第１の動画をコンテンツサーバ１００にアップロードすると、第２のユーザが第１の動画の少なくとも一部をダウンロードし、自分が制作した動画セグメントと共にこれを編集し、第２の動画を生成した後、これをコンテンツサーバ１００にアップロードする。この場合、第１の動画及び第２の動画にそれぞれ対応するノードが生成され、この二つのノードを連結する実線が生成される。図１２は、音楽ネットワークにおいてノードを選択する際に可能な動作が実行されるフローチャートを示す。ユーザがノードを選択すると、ノードに対応する動画を再生するか、ソーシャル機能（推薦数を増加／減少させる動作、共有する動作等）を実行するかどうかを決定する。その後、ノードの製作者情報を表示するかどうかを決定することができる。
【００６１】
本発明に係る前記例示の構造は、プロセッサによって実行されるプログラム命令、ソフトウェアモジュール、マイクロコード、コンピュータ（情報処理機能を有する装置を全て含む）により読み取り可能な記録媒体に記録されたコンピュータプログラム製品、論理回路、ＡＳＩＣ、またはファームウェアなど、様々な方法で実装することができる。前記コンピュータで読み取り可能な記録媒体の例としては、ＲＯＭ、ＲＡＭ、ＣＤ、ＤＶＤ、磁気テープ、ハードディスク、フロッピーディスク、ハードディスク、光データ記憶装置等がある。また、コンピュータが読み取り可能な記録媒体は、ネットワークに連結されたコンピュータシステムに分散され、分散方式でコンピュータが読み取り可能なコードが保存され、実行され得る。
【００６２】
これまで本発明について図面に示した好ましい実施例を中心に詳しく説明した。これらの実施例は、この発明を限定しようとするものではなく、例示的なものに過ぎず、限定的な観点ではなく説明的な観点から考慮されるべきである。本発明の真の技術的保護範囲は、前述した説明ではなく、添付された特許請求の範囲の技術的思想によって定められるべきである。本明細書に特定の用語が用いられたが、これは単に本発明の概念を説明するための目的で用いられたのであり、意味の限定や、特許請求の範囲に記載された本発明の範囲を制限するために用いられたものではない。したがって、本発明が属する技術分野において通常の知識を有する者は、特許請求の範囲で請求する本発明の本質的な技術思想から逸脱しない範囲において多様な変形形態、及び均等な他の実施例が可能であるという点を理解するはずである。均等物は、現在公知の均等物だけでなく、将来開発される均等物、すなわち構造とは関係なく、同じ機能を実行するように発明された全ての構成要素を含むものと理解されるべきである。
【図１】
2019506065.tif 000003
【図２】
2019506065.tif 000004
【図３】
2019506065.tif 000005
【図４】
2019506065.tif 000006
【図５】
2019506065.tif 000007
【図６】
2019506065.tif 000008
【図７】
2019506065.tif 000009
【図８】
2019506065.tif 000010
【図９】
2019506065.tif 000011
【図１０】
2019506065.tif 000012
【図１１】
2019506065.tif 000013
【図１２】
2019506065.tif 000014
【国際調査報告】
2019506065.tif 000015
2019506065.tif 000016
2019506065.tif 000017
2019506065.tif 000018